(57)【特許請求の範囲】
【請求項１】
軸線方向に往復動自在な棒状の弁桿に軸線方向に対して直角な係合ピンを突設すると共に、一端に割溝が刻設され割溝内に係合ピンが移動自在に係合する回動操作軸と、弁桿を軸線方向のうちの回動操作軸他端側に付勢する付勢手段と、回動操作軸を閉弁位置から開弁方向に回動操作する際に上記係合ピンに係合し回動操作軸の開弁方向への回動に連動して軸線方向に移動し弁桿を上記付勢手段の付勢力に抗して移動させると共に回動操作軸に対する開弁方向の回動力を除去することにより係合ピンとの係合を解除し弁桿を付勢手段による付勢力により復動させるカムプランジャーを備えたガスコックにおいて、カムプランジャーの外周に筒状のストッパーを遊嵌し該ストッパーを軸線方向のうちの回動操作軸他端側に付勢する第２の付勢手段を設け、カムプランジャーの外周面に係合爪を突設すると共に上記係合ピンがカムプランジャーに係合している状態では係合爪に係合してストッパーの軸線方向のうちの回動操作軸他端側への移動を禁止し、係合ピンのカムプランジャーに対する係合が解除されると第２の付勢手段によりストッパーの軸線方向のうちの回動操作軸他端側への移動を許容する係合溝をストッパーの内周面に形成し、更にストッパーの外周面にストッパー爪を突設すると共にストッパーを囲繞するケース本体の内面に回動操作軸を閉弁位置から開弁方向に回動操作する際に回動途中に設定した点火位置でストッパー爪に当接して回動操作軸の更なる回動を規制するが、ストッパーが軸線方向のうちの回動操作軸他端側へ移動した状態ではストッパー爪に当接しない第１の突当部と、ストッパー部が軸線方向のうちの回動操作軸他端側へ移動した状態で回動操作軸の回動終端位置を規定する第２の突当部とを形成したことを特徴とするガスコック。
【発明の詳細な説明】
【０００１】
【発明の属する技術分野】
本発明は、回動操作軸を回動することによりガスバーナへ供給されるガス量を調節し火力調節を行うガスコックであって、回動操作途中に設定した点火位置でガスバーナに点火した後、点火位置を越えて更に回動操作軸を追い込み操作するガスコックに関する。
【０００２】
【従来の技術】
従来のこの種のガスコックとして、例えば実公平４−２４３１０号公報により、閉弁位置を０度として、１１５度の位置に設定された点火位置まで回動操作軸を回動してガスバーナに点火を行い、回動操作軸を一旦９５度の位置の全開位置まで戻した後、１５０度の位置に設定したとろ火位置と４５°の位置に設定した弱位置との間で火力調節を行うようにしたものが知られている。この種の点火位置より更に回動操作軸を追い込み操作するタイプのガスコックでは回動操作軸を閉弁位置から点火位置に回動操作する際、回動操作軸が点火位置を越えないように規制すると共に点火完了後はとろ火位置まで回動し得るようにする機構を必要とする。
【０００３】
【発明が解決しようとする課題】
上記点火位置を越えて追い込み操作するガスコックのほかに、点火位置より手前に全開位置を設定し点火した後は閉弁位置から全開位置までの間で火力調節を行うようにして、点火した後点火位置を越える追い込み操作ができないタイプのガスコックが存在する。上記従来の追い込み操作し得るタイプのガスコックと追い込み操作できないタイプのガスコックとは全く別個に設計され共用できる部品がない。我が国では追い込み操作できないタイプのガスコックの方が使用頻度が高いため大量に製造されガスコックのコストを下げることができるが、上記追い込み操作を行い得るタイプのガスコックは使用頻度が低いためコストが高くなるという不具合が生じる。
【０００４】
そこで本発明は、上記の問題点に鑑み、追い込み操作できないタイプのガスコックと部品共用のできる追い込み操作可能なガスコックを提供することを課題とする。
【０００５】
【課題を解決するための手段】
上記課題を解決するために本発明は、軸線方向に往復動自在な棒状の弁桿に軸線方向に対して直角な係合ピンを突設すると共に、一端に割溝が刻設され割溝内に係合ピンが移動自在に係合する回動操作軸と、弁桿を軸線方向のうちの回動操作軸他端側に付勢する付勢手段と、回動操作軸を閉弁位置から開弁方向に回動操作する際に上記係合ピンに係合し回動操作軸の開弁方向への回動に連動して軸線方向に移動し弁桿を上記付勢手段の付勢力に抗して移動させると共に回動操作軸に対する開弁方向の回動力を除去することにより係合ピンとの係合を解除し弁桿を付勢手段による付勢力により復動させるカムプランジャーを備えたガスコックにおいて、カムプランジャーの外周に筒状のストッパーを遊嵌し該ストッパーを軸線方向のうちの回動操作軸他端側に付勢する第２の付勢手段を設け、カムプランジャーの外周面に係合爪を突設すると共に上記係合ピンがカムプランジャーに係合している状態では係合爪に係合してストッパーの軸線方向のうちの回動操作軸他端側への移動を禁止し、係合ピンのカムプランジャーに対する係合が解除されると第２の付勢手段によりストッパーの軸線方向のうちの回動操作軸他端側への移動を許容する係合溝をストッパーの内周面に形成し、更にストッパーの外周面にストッパー爪を突設すると共にストッパーを囲繞するケース本体の内面に回動操作軸を閉弁位置から開弁方向に回動操作する際に回動途中に設定した点火位置でストッパー爪に当接して回動操作軸の更なる回動を規制するが、ストッパーが軸線方向のうちの回動操作軸他端側へ移動した状態ではストッパー爪に当接しない第１の突当部と、ストッパー部が軸線方向のうちの回動操作軸他端側へ移動した状態で回動操作軸の回動終端位置を規定する第２の突当部とを形成したことを特徴とする。
【０００６】
回動操作軸に係合して弁桿を往復動させる機能をカムプランジャーに分担させ、回動操作軸の回動を点火位置や回動終端位置で規制する機能をストッパーに分担させ、かつストッパーをカムプランジャーに遊嵌させて２重構造にすることにより、追い込み操作できないタイプのガスコックにおけるカムプランジャーの取り付けスペースに本発明の上記カムプランジャーとストッパーとを組み込むことができ、これにより追い込み操作できないタイプのガスコックにおけるカムプランジャー以外の部品の殆どを共用することができるようになる。
【０００７】
【発明の実施の形態】
図１を参照して、１は本発明に係るガスコックである。２は回動操作軸であり、図２に示すように、閉弁位置（止）を０度として１１５度の位置に設定されている点火位置（点火）まで一気に回動すると回動操作軸は点火位置でそれ以上の回動が禁止されると共に図外の点火装置が作動して図示しないガスバーナに点火が行われる。点火が完了すると回動操作軸２から手を離すことにより回動操作軸２は自動的に９５度の位置に設定されている全開位置（全開）まで戻る。その後は点火位置を越えて１５０度の位置に設定されているとろ火位置（とろ火）まで回動操作軸２を回動させることができ、該とろ火位置から４５度の位置に設定した弱火位置（弱）までの間で自在に火力調節を行うことができる。そして、調理終了後は回動操作軸２を閉弁位置にまで戻す。
【０００８】
図１に示すように、ガスコック１の内部にはテーパ型の閉子３が内蔵されており、回動操作軸２の回動に連動して閉子３が回動されガス吐出口１１からガスバーナに供給されるガス量が調節される。また、閉子３の中心を貫通して弁桿４が取り付けられている。図１において上下方向を軸線方向として、弁桿４は軸線方向に往復動自在に保持されており、弁桿４に固着され弁桿４の一部をなすバルブセッター４１には軸線に対して直角方向に係合ピン４２が固定されている。回動操作軸２の先端には割溝２１が刻設されており係合ピン４２は該割溝２１内に位置し、回動操作軸２を回動すると回動操作軸２に連動して係合ピン４２が回転する。図３も参照して、カムプランジャー５は略円筒形状に形成されており、上端には山形のカム５１が形成されている。ガスコック１のケース１０には蓋板７がねじ止めされるが、該蓋板７にはカム５１に対応する半月形の窓穴７１が開設されている。回動操作軸２が閉弁位置にある状態ではカム５１が窓穴７１内に挿入されており、回動操作軸２を点火位置に向かって回動するとカム５１が蓋板７の下方に潜り込み、カムプランジャー５を蓋板７から遠ざかる方向、即ち下方へ移動させる。カムプランジャー５の内周面には係合ピン４２の両端部が各々挿入される縦溝５２が刻設されている。該縦溝５２は下部に形成された斜面部５２ａと該斜面部５２ａから上方に連続するストレート部５２ｂとから構成されている。該カムプランジャー５はばね５ａによって上方に付勢され、弁桿４はばね４ａによって上方に付勢されているが、回動操作軸２が閉弁位置にある状態では係合ピン４２の先端は斜面部５２ａに当接しており、回動操作軸２を点火位置へと回動すると回動力は係合ピン４２からカムプランジャー５に伝達される。係合ピン４２の両端と斜面部５２ａとは摩擦力によりずれることなく点火位置まで回動する。そのため図５に示すようにカムプランジャー５の下降に伴って弁桿４も下降し電磁石式の安全弁の弁体１ａを押し開ける。このときガス吐出口１２からガスがパイロットバーナに供給される。また、この状態で図外の点火装置が作動して図示しないガスバーナに点火が行われる。ガスバーナの近傍には炎によって加熱される熱電対が取り付けられており、該熱電対の熱起電力により安全弁に内蔵された電磁石が励磁され弁体１ａの下方に延びる弁軸が吸着されることにより弁体１ａは開弁保持される。点火を確認して回動操作軸２から手を離すとばね４ａの付勢力により係合ピン４２の両端は斜面部５２ａを滑ってストレート部５２ｂに移動する。すると図６に示すようにばね４ａの付勢力により弁桿４は上方に押し上げられ安全弁の弁体１ａから離れる。ただし安全弁内の電磁石が励起されているので弁体１ａは開弁状態のまま移動しない。一方、カムプランジャー５の外周面には一対の係合爪５３が突設されており、略円筒形状に形成されたストッパー６の内周面には係合爪５３に係合する係合溝６１が刻設されている。係合溝６１は斜面部６１ａと該斜面部６１ａに連続するストレート部６１ｂとから構成されている。回動操作軸２が閉弁位置にある状態では係合爪５３は斜面部６１ａに当接しており、回動操作軸２を閉弁位置から点火位置に回動すると回動力が係合爪５３を介して斜面部６１ａに伝達され、回動中は摩擦力により係合爪５３と斜面部６１ａとがずれることはない。そして図５に示すようにその回動中はカムプランジャー５は下降するためストッパー６もカムプランジャー５に伴ってばね６ａの付勢力に抗しながら下降する。また、図６に示すように回動操作軸２から手を離して回動操作軸２が若干戻ると係合爪５３は斜面部６１ａからストレート部６１ｂに移動し、ストッパー６はばね６ａの付勢力により上方に押し上げられる。
【０００９】
ストッパー６の外周面には１つのストッパー爪６２が突設されている。図４を参照してケース１０の内周面には回動操作軸２を点火位置まで回動した状態でストッパー爪６２が当接しストッパー６のそれ以上の回動を禁止する第１の突当部１０ｂが形成されている。ただし、該第１の突当部１０ｂはストッパー６が下降している状態でストッパー爪６２に当接する位置に形成されており、上記のようにストッパー６がばね６ａにより押し上げられた状態になるとストッパー爪６２は第１の突当部１０ｂに当接しなくなる。すると回動操作軸２は更に回動することができる状態になり、ストッパー爪６２が第２の突当部１０ｃに当接するまで回動操作軸２を回動させることができる。第２の突当部１０ｃは回動操作軸２がとろ火位置に到達した状態でストッパー爪６２が当接するように形成されている。尚、回動操作軸２を閉弁位置まで戻すとストッパー爪６２は原点突当部１０ａに当接してそれ以上回動操作軸２を戻し方向に回動できなくする。
【００１０】
ところで、上記のガスコック１は図２に示すように点火位置を越えてとろ火位置まで回動操作し得るタイプのガスコックであるが、回動操作軸２を一旦点火位置まで回動操作した後は全開位置以上に回動操作できないタイプのガスコックに変更する際には、カムプランジャー５とストッパー６とを取り外し、専用のカムプランジャーを１つセットすればよい。
【００１１】
また、上記実施の形態では全開状態で点火を行い、点火後更に追い込み操作することにより火力がとろ火まで減少するようにしたが、例えば図７に示すように、中火状態で点火を行い更に追い込み操作をすることにより全開状態になるように構成してもよい。近年最大燃焼量が大きなハイカロリーのガスバーナの使用が増加しているが、ハイカロリーのガスバーナでは中火状態でも十分に点火を行うことができると共に、全開状態で点火を行うと点火音が強くなり、あるいは調理鍋から炎が溢れて使用者が驚くからである。
【００１２】
【発明の効果】
以上の説明から明らかなように、本発明は、点火位置を越えて追い込み操作し得るタイプのガスコックと追い込み操作できないタイプのガスコックとで部品を大幅に共用することができるので、製造個数の少ない追い込み可能なタイプのガスコックの製造コストを下げることができる。
【図面の簡単な説明】
【図１】本発明の一実施の形態の構成を示す断面図
【図２】回動操作軸の回動位相を示す図
【図３】カムプランジャーとストッパーの形状を示す分解斜視図
【図４】図１におけるIV−IV線図
【図５】点火時の状態を示す断面図
【図６】点火後の状態を示す断面図
【図７】回動操作軸の回動位相の他の例を示す図
【符号の説明】
１  ガスコック
２  回動操作軸
３  閉子
４  弁桿
５  カムプランジャー
６  ストッパー
【図１】
0003660164.tif 000002
【図２】
0003660164.tif 000003
【図３】
0003660164.tif 000004
【図４】
0003660164.tif 000005
【図５】
0003660164.tif 000006
【図６】
0003660164.tif 000007
【図７】
0003660164.tif 000008